(57)【要約】      （修正有）【課題】対象物を覆設するためのリングクランプを提供する。【解決手段】リングクランプ１は、第１固定部材２が設置される第１開口溝１１２を備える第１収容部１１１を有する第１本体部１１と、第１本体部に連接される第２本体部１２と、一端は第１開口溝と第２本体部とが隣接し合う位置に設置され、他端は第１本体部と第２本体部との連接箇所の外縁に沿って所定の箇所まで伸びており、かつ第１収容部との間に第１薄壁１３１が介在する第１凹部１３と、を備える。対象物５の一端を第１収容部に貫入させ、第１固定部材を第１開口溝に圧接させることにより、第１凹部を第１薄壁に沿って断裂させることで、第１亀裂開口が形成されており、第１開口溝が第１固定部材に圧接されて狭くなることにより、第１本体部と対象物とが相互に固定される。【選択図】図１
0003223978.tif 000002
【実用新案登録請求の範囲】
【請求項１】
対象物を覆設するためのリングクランプであって、
第１固定部材が設置される第１開口溝を備える第１収容部を有する第１本体部と、
前記第１本体部に連接される第２本体部と、
一端は前記第１開口溝と前記第２本体部とが隣接し合う位置に設置され、他端は前記第１本体部と前記第２本体部との連接箇所の外縁に沿って所定の箇所まで伸びており、かつ前記第１収容部との間に第１薄壁が介在する第１凹部と、を備え、
前記対象物の一端を前記第１収容部に貫入させ、前記第１固定部材を前記第１開口溝に圧接させることにより、前記第１凹部を前記第１薄壁に沿って断裂させることで、前記第１本体部と前記第２本体部とを部分的に分離させる第１亀裂開口が形成されると、前記第１開口溝の変動幅が前記第２本体部に制限されなくなり、
前記第１開口溝が前記第１固定部材に圧接されることにより狭くなり、前記第１本体部と前記対象物とが相互に固定されることを特徴とする、リングクランプ。
【請求項２】
前記対象物は、中心位置から延出するスタッドを有する球体であることを特徴とする、請求項１に記載のリングクランプ。
【請求項３】
前記第２本体部は、前記第１収容部に連接される第２収容部を有することを特徴とする、請求項１に記載のリングクランプ。
【請求項４】
前記対象物は、第１チューブであり、前記第１チューブの管径より大きい第２チューブ及び第２固定部材を更に有し、
前記第２チューブの一端を前記第２収容部に挿入させ、前記第２固定部材を前記第２本体部の所定の孔に貫入させることにより、前記第２本体部と前記第２チューブとが相互に固定されており、
前記第１チューブの一端を前記第１収容部に貫入させて前記第２チューブ内に挿入させ、前記第１チューブが前記第２チューブ内にスライド可能になり、前記第１開口溝が前記第１固定部材に圧接されて狭くなることにより、前記第１本体部と前記第１チューブとが相互に固定されることを特徴とする、請求項３に記載のリングクランプ。
【請求項５】
前記第２収容部は、第３固定部材が設置される第２開口溝を備え、
前記対象物は第１チューブであり、前記第１チューブの管径より大きい第２チューブを更に有し、
前記第２チューブの一端を前記第２収容部に挿入させ、前記第２開口溝が前記第３固定部材に圧接されて狭くなることにより、前記第２本体部と前記第２チューブとが相互に固定されており、
前記第１チューブの一端を前記第１収容部に貫入させて前記第２チューブ内に挿入させ、前記第１チューブが前記第２チューブ内にスライド可能になり、前記第１開口溝が前記第１固定部材に圧接されて狭くなることにより、前記第１本体部と前記第１チューブとが相互に固定されることを特徴とする、請求項３に記載のリングクランプ。
【請求項６】
前記第１開口溝の一側に前記第１凹部が設けられ、前記第１凹部と前記第１収容部との間に前記第１薄壁が介在し、前記第１開口溝の他側における対応位置に第２凹部が設けられ、前記第２凹部と前記第１収容部との間に第２薄壁が介在することを特徴とする、請求項１に記載のリングクランプ。
【考案の詳細な説明】
【技術分野】
【０００１】
本考案は、リングクランプに関し、特に、亀裂開口を有するリングクランプに関する。
【背景技術】
【０００２】
通常、対象物を覆設するためのリングクランプには多くの形式があり、一般的なリングクランプは、隣接する２つの本体を有し、そのうちの１つの本体は、開口溝を備える収容部を有し、開口溝に固定部材が設置される。対象物が収容部に収容された後に、開口溝が固定部材に圧接されることにより狭くなり、リングクランプと対象物とが相互に固定される。
【０００３】
従来のリングクランプは、リングクランプと対象物とを相互に固定させるため、２つの本体の間に大きな溝を設置する必要がある。前記大きな溝は、開口溝から２つの本体の連接箇所に沿って所定の箇所まで断裂している。従来のリングクランプは、開口溝の両辺にそれぞれ大きな溝を設置し、２つの本体をそれぞれ部分的に分離することにより、開口溝が固定部材に圧接される時に、適度な大きさまで狭くなり、他方の本体に影響されて開口溝の狭い程度が制限されることがないので、対象物とリングクランプとは相互に固定されることができる。なお、大きな溝を設置することにより、リングクランプ型の寿命が延びる上に生産効率も高まる。
【考案の概要】
【考案が解決しようとする課題】
【０００４】
従来のリングクランプには、大きな溝が設置されているため、２つの本体の間の安定性を低下させることが多い。即ち、２つの本体は外力によって動かされる際に、大きな溝の開口が広がったり狭まったりするので、不安定になった。
【０００５】
他の１つの従来のリングクランプには、２つの本体の間に大きな溝が設置されていないので、安定性が比較的よいが、開口溝が固定部材に圧接される際に、開口溝の変動幅が他方の本体に制限されることにより、リングクランプと対象物とが相互に固定できなくなるという欠点がある。この問題を解決するために、このようなリングクランプは、通常、２つの比較的長い本体が必要である。即ち、２つの本体の相互制限を低減させ、リングクランプと対象物とが相互に固定され得るために、リングクランプの長さを一定程度まで延長する必要がある。
【０００６】
従来のリングクランプの大きな溝による安定性の低下、又は安定性を維持するためのリングクランプの長さの延長という問題を克服し、リングクランプ型の寿命を延びる上に生産効率も高めるために、本考案は、第１本体部と第２本体部とを備えるリングクランプを提供する。前記リングクランプは、第１本体部と第２本体部との連接箇所に第１凹部が設置され、第１凹部と第１収容部との間に第１薄壁が介在する。第１固定部材を第１開口溝に圧接させることにより、第１凹部を第１薄壁に沿って断裂させ、第１本体部と第２本体部とを部分的に分離させる第１亀裂開口が形成されると、第１開口溝の変動幅が第２本体部に制限されなくなり、第１開口溝が第１固定部材に圧接されることにより狭くなり、第１本体部と対象物とが相互に固定される。このようなリングクランプは、安定性が高く、リングクランプの長さを延長する必要もなく、収納サイズを小さくできる。
【課題を解決するための手段】
【０００７】
上記課題を解決するために、本考案は、対象物を覆設するためのリングクランプを提案する。前記リングクランプは、第１固定部材が設置される第１開口溝を備える第１収容部を有する第１本体部と、
前記第１本体部に連接される第２本体部と、
一端は前記第１開口溝と前記第２本体部とが隣接し合う位置に設置され、他端は前記第１本体部と前記第２本体部との連接箇所の外縁に沿って所定の箇所まで伸びており、かつ前記第１収容部との間に第１薄壁が介在する第１凹部と、を備える。前記対象物の一端が前記第１収容部に貫入され、前記第１固定部材を前記第１開口溝に圧接させることにより、前記第１凹部を前記第１薄壁に沿って断裂させることで、前記第１本体部と前記第２本体部とを部分的に分離させる第１亀裂開口が形成されると、前記第１開口溝の変動幅が前記第２本体部に制限されなくなり、
前記第１開口溝が前記第１固定部材に圧接されることにより狭くなり、前記第１本体部と前記対象物とが相互に固定される。
【０００８】
好ましくは、前記対象物は、中心位置から延出するスタッドを有する球体である。
【０００９】
好ましくは、前記第２本体部は、前記第１収容部に連接される第２収容部を有する。
【００１０】
好ましくは、前記対象物は、第１チューブであり、前記第１チューブの管径より大きい第２チューブと第２固定部材とを更に有する。前記第２チューブの一端を前記第２収容部に挿入させ、前記第２固定部材を前記第２本体部の所定の孔に貫入させることにより、前記第２本体部と前記第２チューブとが相互に固定される。前記第１チューブの一端を前記第１収容部に貫入させて前記第２チューブ内に挿入させ、前記第１チューブが前記第２チューブ内にスライド可能になり、前記第１開口溝が前記第１固定部材に圧接されて狭くなることにより、前記第１本体部と前記第１チューブとが相互に固定される。
【００１１】
好ましくは、前記第２収容部は第３固定部材が設置される第２開口溝を有し、前記対象物は第１チューブであり、前記第１チューブの管径より大きい第２チューブを更に有する。前記第２チューブの一端を前記第２収容部に挿入させ、前記第２開口溝が前記第３固定部材に圧接されて狭くなることにより、前記第２本体部と前記第２チューブとが相互に固定される。前記第１チューブの一端を前記第１収容部に貫入させて前記第２チューブ内に挿入させ、前記第１チューブが前記第２チューブ内にスライド可能になり、前記第１開口溝が前記第１固定部材に圧接されて狭くなることにより、前記第１本体部と前記第１チューブとが相互に固定される。
【００１２】
好ましくは、第１開口溝の一側に前記第１凹部が設けられ、前記第１凹部と前記第１収容部との間に前記第１薄壁が介在し、前記第１開口溝の他側における対応位置に第２凹部が設けられ、前記第２凹部と前記第１収容部との間に第２薄壁が介在する。
【考案の効果】
【００１３】
本考案に係るリングクランプは、前記第１固定部材を前記第１開口溝に圧接させることにより、前記第１凹部の前記第１薄壁に前記第１亀裂開口が形成される。前記第１亀裂開口によって前記第１本体部と前記第２本体部とが部分的に分離され、前記第１開口溝の変動幅が前記第２本体部に制限されなくなり、前記第１開口溝が前記第１固定部材に圧接されることにより狭くなり、前記第１本体部と前記対象物とが相互に固定される。本考案によれば、リングクランプの安定性が増し、長さが短縮し、収容サイズが小さくなる。
【図面の簡単な説明】
【００１４】
【図１】本考案に係る第１実施例のリングクランプの概略分解図である。
【図２】本考案に係る第１実施例のリングクランプの概略組立図である。
【図３Ａ】本考案に係る第１実施例の第１固定部材を第１開口溝に圧接させる前の概略平面図である。
【図３Ｂ】本考案に係る第１実施例の第１固定部材を第１開口溝に圧接させる前のI−I線に沿う概略断面図である。
【図３Ｃ】本考案に係る第１実施例の第１固定部材を第１開口溝に圧接させる前のＫ−Ｋ線に沿う概略断面図である。
【図４Ａ】本考案に係る第１実施例の第１固定部材を第１開口溝に圧接させた後の概略平面図である。
【図４Ｂ】本考案に係る第１実施例の第１固定部材を第１開口溝に圧接させた後のＪ−Ｊ線に沿う概略断面図である。
【図４Ｃ】本考案に係る第１実施例の第１固定部材を第１開口溝に圧接させた後のＬ−Ｌ線に沿う概略断面図である。
【図５Ａ】本考案に係る第２実施例のリングクランプの概略分解図である。
【図５Ｂ】本考案に係る第２実施例のリングクランプの概略組立図である。
【図５Ｃ】本考案に係る第２実施例の第１凹部を第１薄壁に沿って断裂させる前の一部拡大分解図である。
【図５Ｄ】本考案に係る第２実施例の第１凹部を第１薄壁に沿って断裂させた後の一部拡大組立図である。
【図６Ａ】本考案に係る第３実施例のリングクランプの概略分解図である。
【図６Ｂ】本考案に係る第３実施例のリングクランプの概略組立図である。
【図７Ａ】本考案に係る第４実施例のリングクランプの概略分解図である。
【図７Ｂ】本考案に係る第４実施例のリングクランプの概略組立図である。
【図７Ｃ】本考案に係る第４実施例の第１凹部を第１薄壁に沿って断裂させる前の一部拡大分解図である。
【図７Ｄ】本考案に係る第４実施例の第１凹部を第１薄壁に沿って断裂させた後の一部拡大組立図である。
【図８Ａ】本考案に係る第５実施例のリングクランプの概略分解図である。
【図８Ｂ】本考案に係る第５実施例のリングクランプの概略組立図である。
【考案を実施するための形態】
【００１５】
以下、図１〜図８Ｂを参照しながら、本考案に係るリングクランプを説明する。以下に説明する実施例は、単なる本考案の実施例の１つに過ぎず、本考案の実施形態を限定するものではない。
【００１６】
図１〜図４Ｂに示されるように、本考案に係る実施例のリングクランプ１は、対象物５を覆設するためのものであり、第１開口溝１１２を有する第１収容部１１１を備え、前記第１開口溝１１２に第１固定部材セット２が設置される第１本体部１１と、前記第１本体部１１に連接される第２本体部１２と、一端は前記第１開口溝１１２と前記第２本体部１２とが隣接し合う位置に設置され、他端は前記第１本体部１１と前記第２本体部１２との連接箇所の外縁に沿って所定の箇所まで伸びており、かつ前記第１収容部１１１との間に第１薄壁１３１が介在する第１凹部１３と、を備える。前記対象物５の一端を前記第１収容部１１１に貫入させ、前記第１固定部材セット２を前記第１開口溝１１２に圧接させることにより、前記第１凹部１３を前記第１薄壁１３１に沿って断裂させ、前記第１本体部１１と前記第２本体部１２とを部分的に分離させる第１亀裂開口１３１１が形成されると、前記第１開口溝１１２の変動幅が第２本体部１２に制限されなくなり、前記第１開口溝１１２が前記第１固定部材セット２に圧接されることにより狭くなり、前記第１本体部１１と前記対象物５とが相互に固定される。
【００１７】
図１は、本考案に係る第１実施例のリングクランプの概略分解図である。図１に示されるように、本実施例の前記第１本体部１１と前記第２本体部１２との連接箇所に前記第１凹部１３が設置され、前記第１凹部１３の一端は前記第１開口溝１１２と前記第２本体部１２とが隣接し合う位置に設置され、他端は前記第１本体部１１と前記第２本体部１２との連接箇所の外縁に沿って所定の箇所まで伸びる。
【００１８】
図２は、本考案に係る第１実施例のリングクランプの概略組立図である。図２に示されるように、本実施例の前記対象物５の一端を前記第１収容部１１１に貫入させ、前記第１固定部材セット２を前記第１開口溝１１２をに圧接させることにより、前記第１凹部１３を前記第１薄壁１３１に沿って断裂させ、前記第１本体部１１と前記第２本体部１２とを部分的に分離させる第１亀裂開口１３１１が形成されると、前記第１開口溝１１２の変動幅が第２本体部１２に制限されなくなり、前記第１開口溝１１２が前記第１固定部材セット２に圧接されることにより狭くなり、前記第１本体部１１と前記対象物５とが相互に固定される。
【００１９】
図３Ａは、本考案に係る第１実施例の第１固定部材２を第１開口溝１１２に圧接させる前の概略平面図であり、図３Ｂは、本考案に係る第１実施例の第１固定部材２を第１開口溝１１２に圧接させる前のI−I線に沿う概略断面図であり、図３Ｃは、本考案に係る第１実施例の第１固定部材２を第１開口溝１１２に圧接させる前のＫ−Ｋ線に沿う概略断面図である。図３Ａ〜３Ｃに示されるように、前記第１凹部１３と前記第１収容部１１１との間に第１薄壁１３１が介在する。本実施例の前記第１固定部材セット２は、ねじ・ナットセットであるが、他の固定部材であってもよい。
【００２０】
図４Ａは、本考案に係る第１実施例の第１固定部材２を第１開口溝１１２に圧接させた後の概略平面図であり、図４Ｂは、本考案に係る第１実施例の第１固定部材２を第１開口溝１１２に圧接させた後のＪ−Ｊ線に沿う概略断面図であり、図４Ｃは、本考案の第１実施形態に係る第１固定部材２を第１開口溝１１２に圧接させた後のＬ−Ｌ線に沿う概略断面図である。図４Ａ〜４Ｃに示されるように、前記第１固定部材セット２を前記第１開口溝１１２に圧接させることにより、前記第１凹部１３を前記第１薄壁１３１に沿って断裂させ、第１亀裂開口１３１１が形成される。
【００２１】
図５Ａ〜図５Ｄに示されるように、図５Ａは、本考案に係る第２実施例のリングクランプの概略分解図であり、図５Ｃは、前記第１凹部１３を前記第１薄壁１３１に沿って断裂させる前の一部拡大分解図であり、図５Ｂは、本考案に係る第２実施例のリングクランプの概略組立図であり、図５Ｄは、前記第１凹部１３が前記第１薄壁１３１に沿って断裂した後の概略組立図である。図５Ａに示されるように、本実施例の前記対象物５は、球体５１であり、前記球体５１は、中心位置から延出するスタッド５１１を有し、前記スタッド５１１は、カメラ又は携帯電話の挟持具との連結に用いられる。図５Ｃに示されるように、前記第１凹部１３と前記第１収容部１１１との間に前記第１薄壁１３１が介在する。図５Ｂに示されるように、前記球体５１を前記第１収容部１１１に貫入させ、前記第１固定部材セット２を前記第１開口溝１１２に圧接させる。図５Ｄに示されるように、前記第１凹部１３を前記第１薄壁１３１に沿って断裂させ、前記第１本体部１１と前記第２本体部１２とを部分的に分離させる第１亀裂開口１３１１が形成されると、前記第１開口溝１１２の変動幅が第２本体部１２に制限されなくなり、前記第１開口溝１１２が前記第１固定部材セット２に圧接されることにより狭くなり、前記第１本体部１１と前記球体５１とが相互に固定される。前記第１固定部材セット２が緩められた状態においては、前記球体５１が回転自在であり、前記第１固定部材セット２が締められた状態においては、前記球体５１が静止して動かなくなる。
【００２２】
図６Ａは、本考案に係る第３実施例のリングクランプの概略分解図であり、図６Ｂは、本考案に係る第３実施例のリングクランプの概略組立図である。図６Ａに示されるように、本実施例の前記第２本体部１２は、第２収容部１２１を有し、前記第２収容部１２１は、前記第１収容部１１１に連接される。前記対象物５は、第１チューブ５２であり、第２チューブ５３と第２固定部材３とを更に有する。前記第２チューブ５３の管径は前記第１チューブ５２の管径よりも大きいである。図６Ｂに示されるように、前記第２チューブ５３の一端を前記第２収容部１２１に挿入させ、前記第２固定部材３を前記第２本体部１２の所定の孔１２２に貫入させることにより、前記第２本体部１２と前記第２チューブ５３とが相互に固定される。また、前記第１チューブ５２の一端を前記第１収容部１１１に貫入させて前記第２チューブ５３内に挿入させ、前記第１チューブ５２が前記第２チューブ５３内にスライド可能になり、前記第１固定部材セット２を前記第１開口溝１１２に圧接させることにより、前記第１凹部１３を前記第１薄壁１３１に沿って断裂させ、前記第１本体部１１と前記第２本体部１２とを部分的に分離させる第１亀裂開口１３１１が形成されると、前記第１開口溝１１２の変動幅が第２本体部１２に制限されなくなり、前記第１開口溝１１２が前記第１固定部材セット２に圧接されることにより狭くなり、前記第１本体部１１と前記第１チューブ５２とが相互に固定される。このような亀裂開口を有する前記リングクランプ１は、前記リングクランプ１の長さを短縮することができ、かつ前記第１本体部１１と前記第１チューブ５２との相互固定を確保する。
【００２３】
図７Ａ〜図７Ｄに示されるように、図７Ａは、本考案に係る第４実施例のリングクランプの概略分解図であり、図７Ｃは、前記第１凹部１３を前記第１薄壁１３１に沿って断裂させる前の一部拡大分解図であり、図７Ｂは、本考案に係る第４実施例のリングクランプの概略組立図であり、図７Ｄは、前記第１凹部１３が前記第１薄壁１３１に沿って断裂した後の概略組立図である。図７Ａに示されるように、本実施例の前記第２本体部１２は、前記第１収容部１１１に連接される前記第２収容部１２１を有し、前記第２収容部１２１は、第２開口溝１２３を備え、前記第２開口溝１２３に第３固定部材セット４が設置される。前記対象物５は、前記第１チューブ５２であり、前記第２チューブ５３を更に有する。前記第２チューブ５３の管径は前記第１チューブ５２の管径より大きいである。図７Ｃに示されるように、前記第１凹部１３と前記第１収容部１１１との間に前記第１薄壁１３１が介在する。図７Ｂに示されるように、前記第２チューブ５３の一端を前記第２収容部１２１に挿入させ、前記第２開口溝１２３が前記第３固定部材セット４に圧接されて狭くなることにより、前記第２本体部１２と前記第２チューブ５３とが相互に固定される。前記第１チューブ５２の一端を前記第１収容部１１１に貫入させて前記第２チューブ５３内に挿入させ、前記第１チューブ５２が前記第２チューブ５３内にスライド可能になり、前記第１固定部材セット２を前記第１開口溝１１２に圧接させる。図７Ｄに示されるように、前記第１凹部１３を前記第１薄壁１３１に沿って断裂させ、前記第１本体部１１と前記第２本体部１２とを部分的に分離させる第１亀裂開口１３１１が形成されと、前記第１開口溝１１２の変動幅が第２本体部１２に制限されなくなり、前記第１開口溝１１２が前記第１固定部材セット２に圧接されることにより狭くなり、前記第１本体部１１と前記第１チューブ５２とが相互に固定される。
【００２４】
好ましくは、図８Ａは、本考案に係る第５実施例のリングクランプの概略分解図であり、図８Ｂは、本考案に係る第５実施例のリングクランプの概略組立図である。図８Ａに示されるように、本実施例の第１開口溝１１２の一側に前記第１凹部１３が設けられ、前記第１凹部１３と前記第１収容部１１１との間に前記第１薄壁１３１が介在する。前記第１開口溝１１２の他側における対応位置に第２凹部１４が設けられ、前記第２凹部１４と前記第１収容部１１１との間に前記第２薄壁１４１が介在する。図８Ｂに示されるように、前記対象物５の一端を前記第１収容部１１１に貫入させ、前記第１固定部材セット２を前記第１開口溝１１２に圧接させることにより、前記第１凹部１３を前記第１薄壁１３１に沿って断裂させ、かつ前記第２凹部１４を前記第２薄壁１４１に沿って断裂させ、前記第１本体部１１と前記第２本体部１２とをそれぞれ部分的に分離させる前記第１亀裂開口１３１１と前記第２亀裂開口１４１１とが形成されると、前記第１開口溝１１２の変動幅が第２本体部１２に制限されなくなり、前記第１開口溝１１２が前記第１固定部材セット２に圧接されることにより狭くなり、前記第１本体部１１と前記対象物５とが相互に固定される。
【００２５】
上記の記載内容は、本考案の好ましい実施例を説明するためのものに過ぎず、当業者であれば、下記の実用新案登録請求の範囲と上記の説明とに基づいて他の変更をすることができる。ただし。前記変更は、本考案の趣旨を逸脱しないものであるべきであり、かつ本考案の実用新案登録請求の範囲に含まれるべきである。
【符号の説明】
【００２６】
１        リングクランプ
１１      第１本体部
１１１    第１収容部
１１２    第１開口溝
１２      第２本体部
１２１    第２収容部
１２２    孔
１２３    第２開口溝
１３      第１凹部
１３１    第１薄壁
１３１１  第１亀裂開口
１４      第２凹部
１４１    第２薄壁
１４１１  第２亀裂開口
２        第１固定部材セット
３        第２固定部材
４        第３固定部材セット
５        対象物
５１      球体
５１１    スタッド
５２      第１チューブ
５３      第２チューブ
【図１】
0003223978.tif 000003
【図２】
0003223978.tif 000004
【図３Ａ】
0003223978.tif 000005
【図３Ｂ】
0003223978.tif 000006
【図３Ｃ】
0003223978.tif 000007
【図４Ａ】
0003223978.tif 000008
【図４Ｂ】
0003223978.tif 000009
【図４Ｃ】
0003223978.tif 000010
【図５Ａ】
0003223978.tif 000011
【図５Ｂ】
0003223978.tif 000012
【図５Ｃ】
0003223978.tif 000013
【図５Ｄ】
0003223978.tif 000014
【図６Ａ】
0003223978.tif 000015
【図６Ｂ】
0003223978.tif 000016
【図７Ａ】
0003223978.tif 000017
【図７Ｂ】
0003223978.tif 000018
【図７Ｃ】
0003223978.tif 000019
【図７Ｄ】
0003223978.tif 000020
【図８Ａ】
0003223978.tif 000021
【図８Ｂ】
0003223978.tif 000022